(57)【要約】      （修正有）【課題】容易に製造することができ、しかも、色目が美麗でカラフルなカードケースを提供する。【解決手段】カードケースは、少なくとも１枚のカードＣの厚さの隙間を空けて対峙した表面板１１と裏面板の三方が封止され、他の一方がカードＣの出入口１３とされたカードケースであって、少なくとも表面板１１がデコレーションされたアクリル樹脂板によって形成されている。この表面板１１は、各種の色素を液体のアクリル樹脂に注入し、硬化することにより、光沢を有して色目が出る種々の色のものに形成される。【選択図】図１
0003156706.tif 000002
【実用新案登録請求の範囲】
【請求項１】
少なくとも１枚のカードの厚さの隙間を空けて対峙した表面板と裏面板の三方が封止され、他の一方がカードの出入口とされたカードケースであって、
少なくとも表面板がデコレーションされたアクリル樹脂板によって形成されていることを特徴とするカードケース。
【考案の詳細な説明】
【技術分野】
【０００１】
本考案は、ＩＣカードや磁気式カードなどの各種カードを１枚又は複数枚、収納するカードケースに関する。
【背景技術】
【０００２】
ＩＣカードや磁気式カードなどの各種カードを携帯するに際して、カードが汚損しないようにするためのカードケースが各種提供されている。例えば、特許文献１には、見た目によい文字や模様を付したカードケースが記載されている。
【０００３】
このカードケースは、カードの厚さ分の隙間を空けて重ね合わされた２枚の合成樹脂シートの三方を高周波溶着したものであるが、両面に微細な凹凸を有する合成樹脂シートから製造される。すなわち、両面に微細な凹凸を有する合成樹脂シートに加熱圧着によって文字又は模様状に平滑部分を部分的に設け、この平滑部分を設けたシートと平滑部分を設けていないシートの２枚、あるいは平滑部分を設けた２枚のシートを重ね、高周波溶着金型を用いて四角形のケースの形状に切断するとともに三方の周辺を溶着することによってカードケースが製造される。
【０００４】
このカードケースは、合成樹脂シート自体が両面の微細な凹凸のために不透明であるが、平滑部分が透明になっている。したがって、このカードケースは、文字や模様が一層きわだって見え、また、透明な平滑部分から収納されたカードの表面の文字などが見えるようにされている。さらに、このカードケースは、微細な凹凸によって、手で持ったときに滑ることがなく、また、カードを出し入れしやすいものとされている。
【先行技術文献】
【特許文献】
【０００５】
【特許文献１】特開２００３−４７５１６号公報
【考案の概要】
【考案が解決しようとする課題】
【０００６】
特許文献１に記載されたカードケースの合成樹脂シートは、微細な凹凸を容易に平滑化することができるようにするため、エチレン−アルキル（メタ）アクリレート共重合体やエチレン−酢酸ビニル共重合体などが単独で、あるいは２種以上配合した素材が使用される。しかし、これらの素材は、色目が美麗でないことから、カラフルなカードケースを提供することができない。
【０００７】
さらに、このカードケースは、微細な凹凸を文字又は模様状に部分的に平滑にするために高周波電極を相対して当接し、高周波加熱し、あるいは金型で加圧加熱して製造しなければならず、大変面倒な作業が必要となることから、廉価なカードケースを提供することができない。
【０００８】
そこで、本考案は、容易に製造することができ、しかも、色目が美麗でカラフルなカードケースを提供することを課題とする。
【課題を解決するための手段】
【０００９】
本考案に係るカードケースは、少なくとも１枚のカードの厚さの隙間を空けて対峙した表面板と裏面板の三方が封止され、他の一方がカードの出入口とされたカードケースであって、少なくとも表面板がデコレーションされたアクリル樹脂板によって形成されていることを特徴としている。
【００１０】
このカードケースによれば、少なくとも表面板がデコレーションされたアクリル樹脂板によって形成されていることにより、例えば、色目が美麗で、細かな模様を施したカラフルなものとすることができる。すなわち、アクリル樹脂板は、液体のアクリル樹脂に色素（顔料）を注入することにより、光沢を有する色目が出される。また、アクリル樹脂板は、レーザ光によって加工することができるため、打ち抜いた模様を容易に形成することができる。さらに、例えば、色彩の異なる複数枚のアクリル樹脂板を積層し、アクリル樹脂用の接着剤によって一体化することによって、立体的な模様を施したカードケースを製造することができる。
【考案の効果】
【００１１】
本考案によれば、美麗な色目でカラフルなカードケースが提供されるため、カードケースのファッション性を高めたものとすることができ、さらに、容易に製造することができるため、カードケースのコストダウンを図ることができる。
【図面の簡単な説明】
【００１２】
【図１】本考案に係るカードケースの一実施形態を示す概略斜視図である。
【図２】本考案に係るカードケースの一実施形態を示す概略断面正面図である。
【考案を実施するための形態】
【００１３】
本考案に係るカードケースの一実施形態について図１及び図２を参照しながら説明する。このカードケースは、少なくとも１枚のカードＣの厚さの隙間を空けて対峙した表面板１１と裏面板１２の三方を封止し、他の一方をカードＣの出入口１３としている。表面板１１と裏面板１２との間がカードの収納部１４とされ、そのため、表面板１１と裏面板１２は当然にカードＣを収納することができる大きさの四角形状に形成されている。
【００１４】
なお、カードＣは、ＩＣカードや磁気式カードなどの他、診察券や会員証などであってもよい。したがって、カードケースは、カードの収納部１４が１枚のＩＣカードを収納する隙間を有している場合において、会員証などを複数枚収納することできるものとなり、また、複数枚のＩＣカードを収納できる隙間を有するようにしてもよい。
【００１５】
そして、表面板１１は、アクリル樹脂板によって形成され、色目が美麗で、細かな模様が施されたカラフルなものとされている。そのため、表面板１１は、液体のアクリル樹脂の色素（顔料）を注入し、硬化した板材を切断して所定の形状の表面板１１が形成される。
【００１６】
各種の色素を液体のアクリル樹脂に注入し、硬化することにより、光沢を有して色目が出る種々の色の表面板１１が形成される。また、アクリル樹脂は、例えばＣＯ2レーザ光によって加工することができるため、打ち抜いた模様を施した表面板１１が形成される。
【００１７】
そして、表面板１１は、図１に示したように、カードの収納部１４を設ける主基板１１ａ上にデコレーションとしての小片状の部材１１ｂを積層したものとすることができる。小片状の部材１１ｂもアクリル樹脂によって形成されることにより、色目が美麗で、細かな細工を施したものとすることができる。
【００１８】
また、主基板１１ａも小片状の部材１１ｂもアクリル樹脂によって形成されることにより、両社をアクリル樹脂用の接着剤によって接着することができる。なお、主基板１１ｂと小片状の部材１１ｂの色彩を微妙に違えることにより、あるいは全く違えることにより、表面板１１をカラフルにすることができる。さらに、表面板１１は、主基板１１ｂに窪み部を設け、この窪み部からデコレーションとしての粒状の部材１１ｃを突出させ、装飾的効果を高めたものとすることもできる。
【００１９】
一方、裏面板１２も、光沢を有する色目が出るようにアクリル樹脂によって形成される。裏面板１２にも、打ち抜きによる模様を施してもよいが、打ち抜いていない板状としてもよい。いずれにしても、裏面板１２の三方の周縁部には、突条部１２ａがコ字状に設けられている。この突条部１２ａの高さは、図２に示すように、少なくともカードＣの厚さ以上とされている。
【００２０】
すなわち、突条部１２ａを高くすることにより、カードの収納部１４内に２枚以上のカードＣを収納することができる。このような突条部１２ａは、裏面板１２の内側部分を切削することによって設けてもよいし、コ字形の部材を接着することによって設けてもよい。
【００２１】
そして、表面板１１の三方の周縁部と裏面板１２の突条部１２ａとがアクリル用の接着剤によって接着される。接着されていないカードＣの出入口１３部の表面板１１と裏面板１２とには、フック２０を係止する連通孔１５，１５が設けられている。なお、フック２０には、チェーン２１を繋いでおいてもよい。
【００２２】
このようなカードケースのカードの収納部１４にカードＣが収納され、前記連通孔１５，１５にフック２０が係止されると、カードＣがカードの収納部１４から脱落しないように使用することができる。このカードケースは、カードＣがＩＣカードであると、カードＣをカードの収納部１４から出すことなく使用することができる。カードＣが磁気式カード、診察券、会員証であると、フック２０を連通孔１５，１５から外し、カードＣをカードの収納部１４から取り出して使用する。
【００２３】
いずれにしても、このカードケースは、色目が美麗で、細かな細工が施されていることによって装飾的効果が高められたものとなっている。
【００２４】
なお、本考案は、前記の実施形態に限定することなく種々変更することができる。例えば、カードケースは、フック２０を必要としない使用者用に、連通孔１５，１５を設けないものとしてもよい。
【００２５】
また、カードケースは、２枚のカードＣ，Ｃをカードの収納部１４内に収納する場合において、表面板１１と裏面板１２との間に仕切板（図示せず）を設けたものとしてもよい。この場合は、突条部１２ａに仕切板の縁部を嵌める溝が形成されていることが好ましい。
【００２６】
また、カードケースは、表面板１１のみアクリル樹脂によって形成され、裏面板１２をポリプロピレンやポリカーボネートのような樹脂によって形成してもよい。この場合は、表面板１１と裏面板１２とは、エポキシ樹脂によって接着する。
【符号の説明】
【００２７】
Ｃ………カード
１１……表面板
１２……裏面板
１３……出入口
【図１】
0003156706.tif 000003
【図２】
0003156706.tif 000004